(57)【特許請求の範囲】
【請求項１】
紙葉類を一枚づつ該紙葉類の長手方向に沿って搬送する搬送機構と、該搬送機構から一枚づつ放出された紙葉類を受入れて一時的にスタックするスタック部と、該スタック部上に所要枚数の紙葉類がスタックされた時に該紙葉類束を一括して排出する排出機構と、を備えた紙葉類保留装置において、前記搬送機構は、該紙葉類の幅方向中央部の上下面を夫々ニップして搬送する上下の中央エンドレスベルトと、該紙葉類の幅方向両端部の下面に夫々接触する位置に配置されて該紙葉類の幅方向両端部を前記上下の中央エンドレスベルトによるニップ位置の高さよりも高く押し上げると共に前記中央エンドレスベルトと同様に紙葉類を搬送する向きに駆動された外側エンドレスベルトと、を備えたことを特徴とする紙葉類保留装置。
【請求項２】
前記上下の中央エンドレスベルトは、夫々導入ローラと放出ローラにより張設されており、上下の中央エンドレスベルト同士が接触するニップ面の移動軌跡は、両外側エンドレスベルトの上側走行面の移動軌跡に対して徐々に搬送方向下流側へ下向き傾斜するように設定されていることを特徴とする請求項１記載の紙葉類保留装置。
【発明の詳細な説明】
【０００１】
【発明の属する技術分野】
本発明は複数枚の紙幣を重ねた状態で払出す機構を備えた自動紙幣払出し装置に用いる紙葉類保留装置に関し、例えば利用者が投入した紙幣を金庫に一旦保管しておき、必要に応じて金庫から取り出して必要枚数だけ払出すようにした還流式の紙幣払出し装置に好適な紙葉類保留装置に関する。
【０００２】
【従来の技術】
両替機、現金入出金機、自動販売機等の紙幣払出し機構を備えた装置（以下、紙幣払出し装置、という）は、複数枚の紙幣を払出す場合には、内蔵した金庫から一枚づつ取り出した紙幣を保留装置において重ねて紙幣束とし、この紙幣束を一括して払出し口から利用者に払い出すように構成されている。
上記紙幣保留装置は、金庫等から搬送されてくる紙幣を受入れて搬送する搬送機構と、搬送機構の下流側に位置して搬送機構から送り込まれた紙幣を一枚づつ受入れてスタック台上に堆積するスタック部と、該スタック部上に所要枚数の紙葉類がスタックされた時に作動して該紙葉類束を一括して機外に排出する排出機構と、を備えている。
スタック部の種類には、送り込まれてきた紙幣をスタック台上に一枚づつ確実に抑え込みながらスタックするタイプの他に、簡単な抑え機構を備えていてスタック台上に自由落下させて堆積させるタイプがある。前者のタイプはスタック台上でのスタック不良が発生しにくいという利点を有する一方で、構成が複雑、大型化する欠点を有する。これに対して、後者のタイプの紙葉類保留装置は、構成の簡潔化、小型化、薄型化が可能であるという利点を有する。
しかし、後者のタイプの紙幣保留装置において、払出し用に使用される紙幣が皺、折れ等の癖を有した癖札である場合には、癖を十分に規制する機構がないために、搬送機構を構成する搬送ベルトにより抑え込まれつつ搬送された後で、スタック台上に放出された時点で、癖形状が原形に戻ってしまい、堆積不良を起こしたり、或は既スタック紙幣に衝突して堆積不良を起こす可能性が高くなる。
このようなところから、後者のタイプの紙幣保留装置においては、搬送機構が紙幣をその長手方向に沿って搬送する際に幅方向にＶ字状の癖を形成しつつ皺を伸ばして搬送すように、搬送機構中に皺伸ばしローラを配置した紙幣保留装置が提案されている。
【０００３】
図４(a) 及び(b) はこのような従来の紙幣保留装置の要部（搬送機構）構成を示す正面図、及び側面図であり、この搬送機構は紙幣Ｓをその長手方向に沿って搬送するための外側エンドレスベルト１、２と、両外側エンドレスベルト１、２の中央に位置する皺伸ばしローラ３と、を有する。外側エンドレスベルト１、及び２は、夫々上下のエンドレスベルト対１１，１２，及び１３，１４から成り、各エンドレスベルト対１１，１２，及び１３，１４は、夫々導入ローラ１１ａ，１２ａ，１３ａ，１４ａと放出ローラ１１ｂ，１２ｂ，１３ｂ，１４ｂによって張設されて矢印方向に回転駆動される。これら外側エンドレスベルト１１、１２を構成する各エンドレスベルト１１、１２、１３、１４の幅、長さ等の寸法は一定であり、また各ベルトを支持するローラの径寸法も一定である。また、各外側エンドレスベルト１、２は図示のように対向配置されている。
両上側エンドレスベルト１１、１３の中間位置には、各放出ローラ１１ｂ，１１３ｂと同軸状に皺伸ばしローラ３が配置されている。この皺伸ばしローラ３の径は、対向し合う各放出ローラ１１ｂ，１３ｂの径よりも大きく構成されている。このため、皺伸ばしローラ３は図４(b) に示した入れ込み量の分だけ、搬送する紙幣中央部を押し下げることができる。
図４(a) の矢印Ａ方向から、長手方向に沿って導入されて来た紙幣Ｓはその幅方向両端部上下面を上下のベルト１１、１２と１３、１４によってニップされつつ下流へ向けて搬送され、放出ローラ１１ｂ，１３ｂの位置に達した時に、皺伸ばしローラ３の外周縁（フランジ部３ａ）によって押し下げられて略Ｖ字状に変形する。このように搬送機構の終端部に位置する皺伸ばしローラ３によって紙幣をＶ字状に変形させつつ搬送、排出することにより、皺や折れ癖等の癖札であっても搬送機構から排出されてスタック台１５上にスタックされた時にＶ字状の変形が残存する為に、癖のついた原形に復帰することをある程度防止して堆積不良を防止することができる。
【０００４】
しかし、実際にはスタック台上で堆積不良をもたらす程度に強い癖がついた紙幣Ｓが搬送機構から排出された後で原形に復帰することを防止できる程度に十分なＶ字状の変形を形成することは従来の紙幣保留装置では困難であった。即ち、上記従来の紙幣保留装置にあっては、紙幣Ｓの幅方向両端部を上下のエンドレスベルト１１、１２と１３、１４によって夫々強固にニップしつつ、幅方向中央部を皺伸ばしローラ３によって押し下げるため、無理に紙幣中央部を押し下げると紙幣中央部に皺伸ばしローラのフランジ部３ａによる押下げ跡、傷跡が残り、紙幣を損傷する原因となる。この為、上記従来の紙幣保留装置にあっては、皺伸ばしローラ３の外径を余り大きくすることができず、従って入れ込み量を大きくすることに限界があった。従って、強い癖を有した紙幣に対して、押下げ傷跡を残すことなく、排出後に原形に復帰することがない程度に強く大きいＶ字状の変形を形成することは難しかった。
また、上記従来の紙幣保留装置にあっては、搬送機構の終端部に配置した皺伸ばしローラ３によって一時にＶ字状の変形を形成するため、紙幣が損傷する率が高くなる。また、放出ローラ１１ｂ，１２ｂ，１３ｂ，１４ｂと皺伸ばしローラ３との協働によって紙幣の皺伸ばしを行う場合においても、放出ローラ接点ポイントＢのみで皺伸ばしを行っている為に皺伸ばしが不十分となり易く、放出ローラから放出された紙幣は容易に原形に戻る。
【０００７】
【発明が解決しようとする課題】
本発明が解決しようとする課題は、紙幣等の紙葉類をその長手方向に沿って搬送する搬送機構と、搬送機構から放出された紙葉類を堆積するスタック部を備えた紙幣保留装置において、強い変形癖を有した紙葉類を幅方向にＶ字状に変形させつつ搬送することにより排出後の原形復帰を確実に防止することができる紙葉類保留装置を提供することにある。
【０００８】
【課題を解決するための手段】
上記課題を解決するため、請求項１の発明は、紙葉類を一枚づつ該紙葉類の長手方向に沿って搬送する搬送機構と、該搬送機構から一枚づつ放出された紙葉類を受入れて一時的にスタックするスタック部と、該スタック部上に所要枚数の紙葉類がスタックされた時に該紙葉類束を一括して排出する排出機構と、を備えた紙葉類保留装置において、前記搬送機構は、該紙葉類の幅方向中央部の上下面を夫々ニップして搬送する上下の中央エンドレスベルトと、該紙葉類の幅方向両端部の下面に夫々接触する位置に配置されて該紙葉類の幅方向両端部を前記上下の中央エンドレスベルトによるニップ位置の高さよりも高く押し上げると共に前記中央エンドレスベルトと同様に紙葉類を搬送する向きに駆動された外側エンドレスベルトと、を備えたことを特徴とする。
請求項２の発明は、前記上下の中央エンドレスベルトは、夫々導入ローラと放出ローラにより張設されており、上下の中央エンドレスベルト同士が接触するニップ面の移動軌跡は、両外側エンドレスベルトの上側走行面の移動軌跡に対して徐々に搬送方向下流側へ下向き傾斜するように設定されていることを特徴とする。
【０００９】
【発明の実施の形態】
以下、本発明を図面に示した実施の形態により詳細に説明する。
［第１の課題に対応する実施の形態］
図１(a) 及び(b) は第１の課題を解決する為の本発明の紙葉類保留装置の一例の正面図及び側面図、図２は平面図である。
この紙葉類保留装置は、例えば両替機、現金入出金機、自動販売機等の紙幣払出し機構を備えた紙幣払出し装置に適用される。複数枚の紙幣を払出す場合には、内蔵した金庫から一枚づつ取り出した紙幣を保留装置において重ねて紙幣束とし、この紙幣束を一括して払出し口から利用者に払い出すように構成されている。
本発明の紙葉類保留装置の一例としての紙幣保留装置は、紙幣Ｓ等の長方形の紙葉類を一枚づつ紙幣Ｓの長手方向に沿って搬送する搬送機構１８と、搬送機構１８から一枚づつ排出された紙幣を受入れて一時的にスタックするスタック部１９と、スタック部１９上に所要枚数の紙幣がスタックされた時に紙幣束を一括して排出する排出機構２０等を備えている。
搬送機構１８は、紙幣Ｓの幅方向中央部の上下面をニップして搬送する上下の中央エンドレスベルト２２、２３と、紙幣Ｓの幅方向両端部の下面に夫々接触する位置に配置されて紙幣Ｓの幅方向両端部を上下の中央エンドレスベルト２２、２３によるニップ位置の高さよりも高く押し上げる外側エンドレスベルト２４、２５と、を備えている。
各エンドレスベルト２２、２３、２４、２５はいずれも平ベルトであり、夫々導入ローラ２６ａ，２７ａ，２８ａ，２９ａ，放出ローラ２６ｂ，２７ｂ，２８ｂ，２９ｂによってエンドレスに張設されて矢印方向へ回転駆動される。
上側の中央エンドレスベルト２２と下側の中央エンドレスベルト２３は搬送方向全長に亙って接触する接触走行領域３０を形成しており、この接触走行領域は各外側エンドレスベルト２４、２５の上側走行面３１の移動軌跡に対して徐々に搬送方向へ下向き傾斜するように設定されている点が特徴的である。
この実施形態では、下側の中央放出ローラ２７ｂの径を上側の中央放出ローラ２６ｂの径よりも小さくして両中央放出ローラ２７ｂ，２６ｂのニップ部Ｃの位置を外側の両外側放出ローラ２８ｂ，２９ｂの上面よりも低い位置に設定している。
【００１０】
一方、上下の中央導入ローラ２６ａ，２７ａのニップ部Ｄの高さ位置は、両外側導入ローラ２８ａ，２９ａの上面の高さ位置とほぼ同等に設定されている。
このため、矢印方向から搬送機構内に導入された紙幣Ｓは、幅方向中央部の上下面を中央エンドレスベルト２１、２２によってニップされて接触走行領域３０内を下流側へ搬送される。一方、紙幣Ｓの幅方向両端部は、ニップされることなくフリーな状態で両外側エンドレスベルト２４、２５の上側走行面３１上に支持された状態でガイド板される。この際、中央エンドレスベルト２１、２２のニップ部である接触走行領域３０は両外側エンドレスベルト２４、２５の上側走行面３１に対して搬送方向下流側へ向かうほど下向きに傾斜するようにその移動軌跡が設定されているので、導入ローラ２６ａ，２７ａの位置においては接触走行領域３０と上側走行面３１との間には段差がほとんどない位置関係にあるが、下流へ向かうに従って段差が発生し、段差が漸増するようになっている。この段差は、接触走行領域３０により幅方向中央部をニップされて搬送される紙幣ＳをＶ字状に変形させるための構成であり、Ｖ字状の変形は導入ローラ２６ａ，２７ｂから下流へ向かうほど大きくなる段差によって徐々に大きく形成されることとなる。換言すれば、紙幣の幅方向両端部下面を支持する両外側エンドレスベルト２４、２５の上側走行面３１に対して、中央エンドレスベルト２１、２２の接触走行領域３０の移動軌跡が徐々に下向き傾斜しているので、紙幣に形成されるＶ字形状の変形が徐々に形成されることとなる。
このように搬送される紙幣Ｓの幅方向両端部をニップされないので、幅方向中央部を押下げ変形させたとしても紙幣中央部が損傷する虞れがなく、入れ込み量を増大させることにより原形に復帰することのない大きなＶ字変形を形成する場合においても、紙幣に傷跡を残すことなくＶ字変形を形成することができる。
このため、強い癖を有した紙幣を搬送機構１８により搬送した場合においても、この紙幣が下流側に位置するスタック部１９に放出された際には、大きなＶ字変形状態に矯正されているため、スタック部上で原形に復帰して堆積不良となったり、先行して堆積された紙幣に衝突する等の不具合が発生しなくなる。
なお、図示した排出機構２０は、上下のゴムローラ群３５、３６から成り、これらにより紙幣束を挟んだ状態で回転駆動することにより、紙幣払出し方向へ一括搬送する。
この例では、下側のゴムローラ群３６がスタック台を兼ねており、このゴムローラ群３６上に所要枚数の紙幣を堆積した状態で、上側のゴムローラ群３５を下降させて両ゴムローラ３５、３６により紙幣束を挟み、夫々を駆動することにより排出する。
符号３７は、ガイド板であり、放出されてくる癖札を抑えながら適正な位置まで誘導する手段である。
【００１２】
【発明の効果】
以上のように本発明は、紙幣等の紙葉類をその長手方向に沿って搬送する搬送機構と、搬送機構から放出された紙葉類を堆積するスタック部を備えた紙幣保留装置において、強い変形癖を有した紙葉類を幅方向にＶ字状に変形させつつ搬送することにより排出後の原形復帰を確実に防止することが可能となる。即ち、紙幣の幅方向中央部だけを上下のエンドレスベルトにてニップし、幅方向両端部は大径のプーリにて押し上げるようにして搬送するので、紙幣を傷めることなく確実に大きく強固なＶ字変形を形成することができる。
【図面の簡単な説明】
【図１】  (a) 及び(b) は第１の課題を解決する為の本発明の紙葉類保留装置の一例の正面図及び側面図。
【図２】図１の平面図。
【図３】紙葉類保留装置の一例としての紙幣保留装置の要部構成図。
【図４】  (a) 及び(b) は従来の紙幣保留装置の構成を説明する正面図及び側面図。
【図５】  (a) 及び(b) は従来のスタック部の構成を説明する図。
【図６】  (a) 及び(b) は従来の欠点を説明する図。
【符号の説明】
１８  搬送する搬送機構、１９  スタック部、２０  排出機構、２２、２３  中央エンドレスベルト、２４、２５  外側エンドレスベルト、２６ａ，２７ａ，２８ａ，２９ａ  導入ローラ、２６ｂ，２７ｂ，２８ｂ，２９ｂ  放出ローラ、３０  接触走行領域、３１  上側走行面、３５、３６  ゴムローラ群、５１  搬送機構、５２  スタック部、５３  スタック台、５４  ガイド板、５４ａ  軸、６０、６１  放出ローラ、６２  スイーパ。
【図１】
0004487038.tif 000002
【図２】
0004487038.tif 000003
【図３】
0004487038.tif 000004
【図４】
0004487038.tif 000005
【図５】
0004487038.tif 000006
【図６】
0004487038.tif 000007